(57)【要約】      （修正有）【課題】機器と通信可能な通信圏内において、機器からの情報取得を支援する情報処理装置を提供する。【解決手段】画像形成装置２０と複数の通信手段により接続される携帯端末１０は、画像形成装置から第１の通信手段ＢＬＥ（Ｂｌｕｅｔｏｏｔｈ（登録商標）  Ｌｏｗ  Ｅｎｅｒｇｙ）による通信が可能な通信圏内に送信される接続待ち情報を検出する接続待ち情報検出部１１と、接続待ち情報を送信した機器と接続するか否かを判定する接続許否判定部１２と、接続すると判定された場合、画像形成装置とＢＬＥにより接続し、接続された画像形成装置とネットワークＮ１による接続を行うための通信情報を取得する通信情報取得部１４と、通信情報取得部により取得された通信情報に基づき、画像形成装置とネットワークＮ１により接続し、接続された画像形成装置からアドレス帳の情報を取得するアドレス帳情報取得手段１６と、を備える。【選択図】図５
2016066993.tif 000002
【特許請求の範囲】
【請求項１】
１以上の機器と複数の通信手段により接続される情報処理装置を、
前記１以上の機器から第１の通信手段による通信が可能な通信圏内に送信される接続待ち情報を検出する検出手段、
前記検出手段により前記接続待ち情報の受信が検出されると、該接続待ち情報を送信した一の機器と接続するか否かを判定する判定手段、
前記判定手段により前記接続待ち情報を送信した一の機器と接続すると判定された場合、該一の機器と前記第１の通信手段により接続し、該第１の通信手段により接続された機器と第２の通信手段による接続を行うための通信情報を取得する第１の取得手段、
前記第１の取得手段により取得された通信情報に基づき、前記機器と第２の通信手段により接続し、該接続された機器から所定の情報を取得する第２の取得手段、
として機能させるためのプログラム。
【請求項２】
前記情報処理装置を、
前記判定手段により前記接続待ち情報を送信した一の機器と接続すると判定された場合、該接続すると判定された一の機器に対して認証情報を送信する認証情報送信手段、
として機能させ、
前記第１の取得手段は、
前記認証情報送信手段により認証情報を送信した機器から認証成功を示す情報を受け取ると、前記機器と第１の通信手段により接続し、該第１の通信手段により接続された機器と第２の通信手段による接続を行うための通信情報を取得する、請求項１記載のプログラム。
【請求項３】
前記情報処理装置を、
前記機器と前記第２の通信手段により接続を行うか否かを選択するための選択画面を表示させる選択画面表示手段、
として機能させ、
前記第２の取得手段は、
前記選択画面表示手段により表示された選択画面において前記機器と前記第２の通信手段により接続を行うと選択された場合、前記第１の取得手段により取得された通信情報に基づき、前記機器と第２の通信手段により接続し、該接続された機器から所定の情報を取得する、請求項１又は２記載のプログラム。
【請求項４】
前記所定の情報は、ユーザの電話番号を含むアドレス帳に関する情報であり、
前記情報処理装置を、
前記アドレス帳に関する情報から選択された電話番号に基づき、前記第２の通信手段により接続された機器に対して、前記選択された電話番号に対するＦＡＸ送信を要求するＦＡＸ送信要求手段、
として機能させるための請求項1ないし３のいずれか１項に記載のプログラム。
【請求項５】
前記情報処理装置を、
前記第２の取得手段により取得された前記所定の情報を削除する削除手段、
として機能させ、
前記削除手段は、前記情報処理装置と前記第２の通信手段により接続された機器との距離が所定の距離以上となった場合に、前記所定の情報を削除する、請求項１ないし４のいずれか１項に記載のプログラム。
【請求項６】
前記所定の情報は、１以上のレコードを含み、
前記削除手段は、前記所定の情報に含まれる前記レコードのうち、削除対象に指定されている前記レコードを削除する、請求項５記載のプログラム。
【請求項７】
前記情報処理装置を、
前記第１の通信手段により受信した前記接続待ち情報の受信強度情報を算出する受信強度算出手段、
として機能させ、
前記判定手段は、前記受信強度算出手段により算出された前記受信強度情報に基づいて、前記接続待ち情報を送信した一の機器と接続するか否かを判定する、請求項１ないし６のいずれか１項に記載のプログラム。
【請求項８】
前記第１の通信手段は、ＢＬＥである、請求項１ないし７のいずれか１項に記載のプログラム。
【請求項９】
１以上の機器と複数の通信手段により接続される情報処理装置であって、
前記１以上の機器から第１の通信手段による通信が可能な通信圏内に送信される接続待ち情報を検出する検出手段と、
前記検出手段により前記接続待ち情報の受信が検出されると、該接続待ち情報を送信した一の機器と接続するか否かを判定する判定手段と、
前記判定手段により前記接続待ち情報を送信した一の機器と接続すると判定された場合、該一の機器と第１の通信手段により接続し、該第１の通信手段により接続された機器と第２の通信手段による接続を行うための通信情報を取得する第１の取得手段と、
前記第１の取得手段により取得された通信情報に基づき、前記機器と第２の通信手段により接続し、該接続された機器から所定の情報を取得する第２の取得手段と、
を有する情報処理装置。
【請求項１０】
前記判定手段により前記接続待ち情報を送信した一の機器と接続すると判定された場合、該接続すると判定された一の機器に対して認証情報を送信する認証情報送信手段を有し、
前記第１の取得手段は、
前記認証情報送信手段により認証情報を送信した機器から認証成功を示す情報を受け取ると、前記機器と第１の通信手段により接続し、該第１の通信手段により接続された機器と第２の通信手段による接続を行うための通信情報を取得する、請求項９記載の情報処理装置。
【請求項１１】
前記機器と前記第２の通信手段により接続を行うか否かを選択するための選択画面を表示させる選択画面表示手段を有し、
前記第２の取得手段は、
前記選択画面表示手段により表示された選択画面において前記機器と前記第２の通信手段により接続を行うと選択された場合、前記第１の取得手段により取得された通信情報に基づき、前記機器と第２の通信手段により接続し、該接続された機器から所定の情報を取得する、請求項９又は１０記載の情報処理装置。
【請求項１２】
前記所定の情報は、ユーザの電話番号を含むアドレス帳に関する情報であり、
前記アドレス帳に関する情報から選択された電話番号に基づき、前記第２の通信手段により接続された機器に対して、前記選択された電話番号に対するＦＡＸ送信を要求する処理要求手段を有する請求項９ないし１１のいずれか１項に記載の情報処理装置。
【請求項１３】
前記第１の通信手段は、ＢＬＥである、請求項９ないし１２のいずれか１項に記載の情報処理装置。
【請求項１４】
１以上の機器と、該１以上の機器と複数の通信手段により接続される情報処理装置とを有する情報処理システムであって、
前記１以上の機器から第１の通信手段による通信が可能な通信圏内に送信される接続待ち情報を検出する検出手段と、
前記検出手段により前記接続待ち情報の受信が検出されると、該接続待ち情報を送信した一の機器と接続するか否かを判定する判定手段と、
前記判定手段により前記接続待ち情報を送信した一の機器と接続すると判定された場合、該一の機器と第１の通信手段により接続し、該第１の通信手段により接続された機器と第２の通信手段による接続を行うための通信情報を取得する第１の取得手段と、
前記第１の取得手段により取得された通信情報に基づき、前記機器と第２の通信手段により接続し、該接続された機器から所定の情報を取得する第２の取得手段と、
前記第２の取得手段により取得された所定の情報に基づき、前記第２の通信手段により接続された機器に対して所定の処理要求を行う処理要求手段と、
を有する情報処理システム。
【請求項１５】
前記判定手段により前記接続待ち情報を送信した一の機器と接続すると判定された場合、該接続すると判定された一の機器に対して認証情報を送信する認証情報送信手段と、
前記認証情報送信手段により送信された認証情報を受け取ると、該認証情報に基づき認証を行い、認証が成功した場合、認証成功を示す情報を送信する認証結果送信手段と、を有し、
前記第１の取得手段は、
前記認証情報送信手段により認証情報を送信した機器から認証成功を示す情報を受け取ると、前記機器と第１の通信手段により接続し、該第１の通信手段により接続された機器と第２の通信手段による接続を行うための通信情報を取得する、請求項１４記載の情報処理システム。
【請求項１６】
１以上の機器と、該１以上の機器と複数の通信手段により接続される情報処理装置に搭載されるプログラムとを有する情報処理システムであって、
前記１以上の機器から第１の通信手段による通信が可能な通信圏内に送信される接続待ち情報を検出する検出手段と、
前記検出手段により前記接続待ち情報の受信が検出されると、該接続待ち情報を送信した一の機器と接続するか否かを判定する判定手段と、
前記判定手段により前記接続待ち情報を送信した一の機器と接続すると判定された場合、該一の機器と第１の通信手段により接続し、該第１の通信手段により接続された機器と第２の通信手段による接続を行うための通信情報を取得する第１の取得手段と、
前記第１の取得手段により取得された通信情報に基づき、前記機器と第２の通信手段により接続し、該接続された機器から所定の情報を取得する第２の取得手段と、
前記第２の取得手段により取得された所定の情報に基づき、前記第２の通信手段により接続された機器に対して所定の処理要求を行う処理要求手段と、
を有する情報処理システム。
【発明の詳細な説明】
【技術分野】
【０００１】
本発明は、プログラム、情報処理装置、及び情報処理システムに関する。
【背景技術】
【０００２】
携帯端末から画像形成装置の各種機能を利用する際に、この画像形成装置と通信を行うために必要な通信情報をＮＦＣ（Near field communication）を用いて取得する技術が従来より知られている。このような技術として、携帯端末からＮＦＣを用いて通信情報を取得して、この通信情報を利用してＢｌｕｅｔｏｏｔｈ（登録商標）により画像形成装置の印刷機能を利用することが従来より知られている（例えば特許文献１参照）。
【発明の概要】
【発明が解決しようとする課題】
【０００３】
しかしながら、上記従来技術では、携帯端末のユーザは、通信情報を取得するために、例えば、ＮＦＣタグが貼り付けられた画像形成装置の前まで移動する必要がある。一方、Ｂｌｕｅｔｏｏｔｈによる通信は、データ転送速度が高くないため、例えば、取得した通信情報に基づいて画像形成装置からアドレス帳の情報を取得する場合等に時間が掛かる。したがって、携帯端末のユーザは、ＮＦＣタグに自身の携帯端末をかざした後、アドレス帳の情報の取得が完了するまで画像形成装置の前で待たされることとなる。
【０００４】
本発明の実施の形態は、上記の点に鑑みてなされたもので、機器と通信可能な通信圏内において、機器からの情報取得を支援することを目的とする。
【課題を解決するための手段】
【０００５】
上記目的を達成するため、本発明の実施の形態は、１以上の機器と複数の通信手段により接続される情報処理装置を、前記１以上の機器から第１の通信手段による通信が可能な通信圏内に送信される接続待ち情報を検出する検出手段、前記検出手段により前記接続待ち情報の受信が検出されると、該接続待ち情報を送信した一の機器と接続するか否かを判定する判定手段、前記判定手段により前記接続待ち情報を送信した一の機器と接続すると判定された場合、該一の機器と第１の通信手段により接続し、該第１の通信手段により接続された機器と第２の通信手段による接続を行うための通信情報を取得する第１の取得手段、前記第１の取得手段により取得された通信情報に基づき、前記機器と第２の通信手段により接続し、該接続された機器から所定の情報を取得する第２の取得手段、として機能させることを特徴とする。
【発明の効果】
【０００６】
本発明の実施の形態によれば、機器と通信可能な通信圏内において、機器からの情報取得を支援することができる。
【図面の簡単な説明】
【０００７】
【図１】第一の実施形態に係るＦＡＸ送信システムの一例の構成図である。
【図２】第一の実施形態に係る携帯端末の一例のハードウェア構成図である。
【図３】第一の実施形態に係る画像形成装置の一例のハードウェア構成図である。
【図４】第一の実施形態に係るＦＡＸ送信システムの一例の処理の概略を説明するための図である。
【図５】第一の実施形態に係るＦＡＸ送信システムの一例の機能ブロック図である。
【図６】通信情報の一例を説明するための図である。
【図７】アドレス帳情報の一例を説明するための図である。
【図８】第一の実施形態に係るＦＡＸ送信システムの通信情報取得処理の一例のシーケンス図である。
【図９】接続開始確認画面の一例のイメージ図である。
【図１０】ＰＩＮ情報入力画面の一例のイメージ図である。
【図１１】第一の実施形態に係るＦＡＸ送信システムのアドレス帳情報取得からＦＡＸ送信処理までの一例のシーケンス図である。
【図１２】第二の実施形態に係るＦＡＸ送信システムの一例の機能ブロック図である。
【図１３】第二の実施形態に係るＦＡＸ送信システムのアドレス帳情報取得からＦＡＸ送信処理までの一例のシーケンス図である。
【図１４】携帯端末に保存されるアドレス帳情報の一例を説明するための図である。
【図１５】第二の実施形態に係るアドレス帳情報の削除処理の一例のフローチャートである。
【図１６】削除対象アドレスの選択画面の一例のイメージ図である。
【図１７】第三の実施形態に係るＦＡＸ送信システムの一例の機能ブロック図である。
【図１８】第三の実施形態に係るＦＡＸ送信システムの通信情報取得処理の一例のシーケンス図である。
【図１９】第三の実施形態に係るアドレス帳情報の削除処理の一例のフローチャートである。
【発明を実施するための形態】
【０００８】
次に、本発明の実施の形態について、詳細に説明する。
【０００９】
［第一の実施形態］
＜システム構成＞
まず、第一の実施形態に係るＦＡＸ送信システム１のシステム構成について説明する。図１は、第一の実施形態に係るＦＡＸ送信システムの一例の構成図である。
【００１０】
図１のＦＡＸ送信システム１は、携帯端末１０と、１台以上の画像形成装置２０とが有線又は無線でネットワークＮ１に接続されている。特に、携帯端末１０は、Ｗｉ−Ｆｉ（登録商標）などの無線ＬＡＮ（Local Area Network）や３Ｇ／ＬＴＥ（Long Term Evolution）などの携帯電話網を介した携帯電話通信などによりネットワークＮ１に接続されているものとする。本実施形態では、一例として、携帯端末１０は、無線ＬＡＮによりネットワークＮ１に接続されているものとして以降説明する。なお、このような無線ＬＡＮや携帯電話通信は、特許請求の範囲に記載された第２の通信手段の一例である。
【００１１】
また、携帯端末１０と画像形成装置２０とは近距離無線通信を介して通信可能なように接続される。ここで、近距離無線通信は、例えば、ＢＬＥ（Bluetooth Low Energy）やＢｌｕｅｔｏｏｔｈなどの少なくとも数メートルから数十メートルの距離で通信が可能な通信規格による通信であるものとする。したがって、本実施形態の近距離無線通信には、数センチから１メールの距離で通信が可能なＮＦＣなどの通信規格による通信は含まれないものとする。本実施形態では、一例として、近距離無線通信は、ＢＬＥであるとして以降説明する。なお、このような近距離無線通信は、特許請求の範囲に記載された第１の通信手段の一例である。
【００１２】
携帯端末１０は、ユーザが操作するスマートフォンなどの情報処理装置である。携帯端末１０は、携帯電話、タブレット端末、ゲーム機、ＰＤＡ、デジタルカメラなどでもよい。携帯端末１０は、後述するようにＢＬＥセントラルとして機能するＢＬＥチップを備えている。これにより、ユーザは、ＢＬＥによる通信を介して、画像形成装置２０から、この画像形成装置２０とネットワークＮ１を介した通信を行うための通信情報を取得することができる。そして、携帯端末１０は、取得した通信情報に基づき画像形成装置２０からアドレス帳の情報を取得する。これにより、携帯端末１０は、アドレス帳の情報から選択された宛先にＦＡＸ送信を行うためのＦＡＸ送信ジョブを画像形成装置２０に送信することができる。
【００１３】
画像形成装置２０は、ＦＡＸ送信機能を有するＭＦＰ（MultiFunction Peripheral）などの機器である。画像形成装置２０は、後述するようにＢＬＥペリフェラルとして機能するＢＬＥチップを備えている。これにより、画像形成装置２０は、ＢＬＥによる通信を介して、携帯端末１０に対して通信情報を送信する。また、画像形成装置２０は、携帯端末１０からの要求に応じて、ネットワークＮ１を介して、アドレス帳の情報を送信する。さらに、画像形成装置２０は、携帯端末１０からＦＡＸ送信ジョブを受け取り、ＦＡＸ送信を行う。なお、画像形成装置２０は、ＦＡＸ送信機能の他、プリント機能、コピー機能、スキャナ機能など複数の機能を有していてもよい。
【００１４】
なお、上記で説明したＦＡＸ送信システム１は、一例であり、携帯端末１０を１台以上の任意の台数有する構成やＦＡＸ送信ジョブを蓄積するためのジョブ蓄積装置を有する構成であってもよい。また、ＦＡＸ送信システム１は、携帯端末１０と無線ＬＡＮによる通信を介してネットワークＮ１と接続するための無線ＬＡＮルータ等を有する構成であってもよい。
【００１５】
＜ハードウェア構成＞
≪携帯端末≫
第一の実施形態に係る携帯端末１０は、例えば図２に示すようなハードウェア構成により実現される。図２は、第一の実施形態に係る携帯端末の一例のハードウェア構成図である。
【００１６】
図２に示す携帯端末１０は、入力装置１０１、表示装置１０２、外部Ｉ／Ｆ１０３、ＲＡＭ（Random Access Memory）１０４、ＲＯＭ（Read Only Memory）１０５、ＣＰＵ（Central Processing Unit）１０６、通信Ｉ／Ｆ１０７、ＳＳＤ（Solid State Drive）１０８、及びＢＬＥチップ１０９などを備え、それぞれがバスＢで相互に接続されている。
【００１７】
入力装置１０１は、例えば、タッチパネルであり、携帯端末１０に各操作信号を入力するのに用いられる。なお、入力装置１０１は、キーボードやマウスなどであってもよい。表示装置１０２は、例えば、ＬＣＤ（Liquid Crystal Display）などであり、携帯端末１０による処理結果を表示する。
【００１８】
外部Ｉ／Ｆ１０３は、外部装置とのインタフェースである。外部装置には、記録媒体１０３ａなどがある。記録媒体１０３ａには、実施形態を実現するプログラムを格納することができる。携帯端末１０は外部Ｉ／Ｆ１０３を介して、記録媒体１０３ａの読み取り及び／又は書き込みを行うことができる。
【００１９】
記録媒体１０３ａは、例えば、ＳＤメモリカード（SD Memory card）などの記録媒体である。記録媒体１０３ａは、ＵＳＢメモリ（Universal Serial Bus memory）、ＤＶＤ（Digital Versatile Disk）、ＣＤ（Compact Disk）、フレキシブルディスクなどの記録媒体であってもよい。
【００２０】
ＲＡＭ１０４は、プログラムやデータを一時保持する揮発性の半導体メモリ（記憶装置）である。ＲＯＭ１０５は、電源を切ってもプログラムやデータを保持することができる不揮発性の半導体メモリ（記憶装置）である。ＲＯＭ１０５には、携帯端末１０の起動時に実行されるＢＩＯＳ（Basic Input/Output System）、ＯＳ設定、及びネットワーク設定などのプログラムやデータが格納されている。
【００２１】
ＣＰＵ１０６は、ＲＯＭ１０５やＳＳＤ１０８などの記憶装置からプログラムやデータをＲＡＭ１０４上に読み出し、処理を実行することで、携帯端末１０全体の制御や機能を実現する演算装置である。
【００２２】
通信Ｉ／Ｆ１０７は、例えば、無線ＬＡＮによりネットワークＮ１に接続するためのインタフェースである。これにより、携帯端末１０は通信Ｉ／Ｆ１０７を介してデータ通信を行うことができる。
【００２３】
ＳＳＤ１０８は、プログラムやデータを格納している不揮発性の記憶装置である。格納されるプログラムやデータには、例えば携帯端末１０全体を制御する基本ソフトウェアであるＯＳ（Operating System）や、ＯＳ上において各種機能を提供するアプリケーションソフトウェアなどがある。ＳＳＤ１０８は格納しているプログラムやデータを所定のファイルシステム及び／又はＤＢ（データベース）により管理している。なお、情報処理装置１は、ＳＳＤ１０８の代わりに又はＳＳＤ１０８と併せて、ＨＤＤ（Hard Disk Drive）等を備えていてもよい。
【００２４】
ＢＬＥチップ１０９は、ＢＬＥセントラルとして機能する装置である。ＢＬＥチップ１０９は、画像形成装置２０が備えるＢＬＥペリフェラルとして機能するＢＬＥチップとＢＬＥによる通信を行うことができる。
【００２５】
なお、ここで、ＢＬＥペリフェラルとは、アドバタイズパケットと呼ばれる所定のデータ形式で、接続待ちを示す情報（接続待ち情報）をブロードキャストする装置である。一方、ＢＬＥセントラルとは、ＢＬＥペリフェラルからブロードキャストされた接続待ち情報を検出し、ＢＬＥペリフェラルに対して接続要求を行う装置である。これにより、ＢＬＥセントラルとＢＬＥペリフェラルとの間でＢＬＥによる通信を行うことができる。なお、上記のように画像形成装置２０は接続待ち情報をブロードキャストし続けるため、本実施形態のように第１の通信手段としてＢＬＥを用いることで消費電力を抑えることができる。
【００２６】
本実施形態に係る携帯端末１０は、上記したハードウェア構成により後述するような各種処理を実現できる。
【００２７】
≪画像形成装置≫
第一の実施形態に係る画像形成装置２０は、例えば図３に示すようなハードウェア構成により実現される。図３は、第一の実施形態に係る画像形成装置の一例のハードウェア構成図である。
【００２８】
図３に示される画像形成装置２０は、コントローラ２０１、操作パネル２０２、外部Ｉ／Ｆ２０３、通信Ｉ／Ｆ２０４、ＦＡＸ装置２０５、及びＢＬＥチップ２０６などを有している。
【００２９】
コントローラ２０１はＣＰＵ２１１、ＲＡＭ２１２、ＲＯＭ２１３と、ＮＶＲＡＭ２１４、ＨＤＤ２１５を有する。ＲＯＭ２１３は、各種プログラムやデータが格納されている。ＲＡＭ２１２はプログラムやデータを一時保持する。ＮＶＲＡＭ２１４は、例えば設定情報等が格納されている。また、ＨＤＤ２１５は各種プログラムやデータが格納されている。
【００３０】
ＣＰＵ２１１は、ＲＯＭ２１３やＮＶＲＡＭ２１４、ＨＤＤ２１５などからプログラムやデータ、設定情報等をＲＡＭ２１２上に読み出し、処理を実行することで、画像形成装置２０全体の制御や機能を実現する。
【００３１】
操作パネル２０２はユーザからの入力を受け付ける入力装置と、表示を行う表示装置とを備えている。外部Ｉ／Ｆ２０３は外部装置とのインタフェースである。外部装置には、記録媒体２０３ａ等がある。これにより、画像形成装置２０は外部Ｉ／Ｆ２０３を介して記録媒体２０３ａの読み取り及び／又は書き込みを行うことができる。記録媒体２０３ａには、フレキシブルディスク、ＣＤ、ＤＶＤ、ＳＤメモリカード、ＵＳＢメモリなどがある。
【００３２】
通信Ｉ／Ｆ２０４は、画像形成装置２０をネットワークＮ１に接続するインタフェースである。これにより、画像形成装置２０は通信Ｉ／Ｆ２０４を介してデータ通信を行うことができる。ＦＡＸ装置２０５は、ＦＡＸ送信を行うための装置である。
【００３３】
ＢＬＥチップ２０６は、ＢＬＥペリフェラルとして機能する装置である。ＢＬＥチップ２０６は、携帯端末１０が備えるＢＬＥセントラルとして機能するＢＬＥチップ１０９とＢＬＥによる通信を行うことができる。
【００３４】
本実施形態に係る画像形成装置２０は、上記したハードウェア構成により後述するような各種処理を実現できる。
【００３５】
＜処理の概略＞
次に、第一の実施形態に係るＦＡＸ送信システム１の処理の概略について説明する。図４は、第一の実施形態に係るＦＡＸ送信システムの一例の処理の概略を説明するための図である。
【００３６】
まず、画像形成装置２０は、ＢＬＥにより接続待ち情報をブロードキャストしている（ステップＳ１）。すなわち、画像形成装置２０のＢＬＥチップ２０６は、アドバタイズを行っている。画像形成装置２０は、このような接続待ち情報を、例えば周囲の数メートルの範囲内に到達されるように発信している。なお、この接続待ち情報の到達距離は、ＦＡＸ送信システム１の管理者ユーザ等が適宜設定することができる。
【００３７】
携帯端末１０が接続待ち情報の到達距離内（例えば点Ａ）に入ると、携帯端末１０は、接続待ち情報を検出して、画像形成装置２０とＢＬＥにより接続する（ステップＳ２）。これにより、携帯端末１０と画像形成装置２０とがＢＬＥにより通信が可能な状態となる。
【００３８】
次に、携帯端末１０はＢＬＥによる通信を介して、画像形成装置２０から通信情報を取得する（ステップＳ３）。そして、携帯端末１０は、取得した通信情報を用いてネットワークＮ１を介して画像形成装置２０に接続してアドレス帳情報を取得する（ステップＳ４）。ここで、通信情報とは、ネットワークＮ１を介して画像形成装置２０と通信を行うための情報であり、画像形成装置２０のＩＰアドレスなどが含まれる。
【００３９】
なお、アドレス帳情報をＢＬＥによる通信ではなく、ネットワークＮ１を介した通信により取得するのは、一般に、アドレス帳情報はデータ容量が大きい場合が多く、データ転送速度が高い無線ＬＡＮ通信を介して取得するほうが適しているためである。
【００４０】
この間、携帯端末１０のユーザは、点Ａから点Ｂに移動しているものとする。すると、携帯端末１０のユーザが、画像形成装置２０の前（点Ｂ）に到達したときには、すでにアドレス帳情報の取得が完了している（ステップＳ５）。ただし、アドレス帳情報の容量及び無線ＬＡＮのデータ転送速度によってはアドレス帳情報が取得中の場合もあり得る。
【００４１】
したがって、ユーザは、画像形成装置２０の前で待たされることなく、取得されたアドレス帳情報に基づき、携帯端末１０を用いて、画像形成装置２０からＦＡＸ送信を行うことができるようになる（ステップＳ６）。すなわち、本実施形態に係るＦＡＸ送信システム１は、ＦＡＸ送信するためのアドレス帳情報を、ＢＬＥによる通信が可能な位置から画像形成装置２０の位置までユーザが移動している間に取得する。したがって、ユーザは、画像形成装置２０の前で待たされることなく、即座にアドレス帳情報から電話番号を選択して、画像形成装置２０からＦＡＸ送信を行うことができるようになる。
【００４２】
＜機能構成＞
第一の実施形態に係るＦＡＸ送信システム１は、例えば図５に示すような機能ブロックにより表すことができる。図５は、第一の実施形態に係るＦＡＸ送信システムの一例の機能ブロック図である。
【００４３】
≪携帯端末≫
ＦＡＸ送信システム１の携帯端末１０は、接続待ち情報検出部１１、接続許否判定部１２、認証要求部１３、通信情報取得部１４、ＵＩ表示部１５、アドレス帳情報取得部１６、処理要求部１７、ＰＩＮ（Personal Identification Number）情報記憶部１８などを有する。
【００４４】
接続待ち情報検出部１１は、ＣＰＵ１０６、ＢＬＥチップ１０９などにより実現され、接続待ち情報の受信を検出する。すなわち、接続待ち情報検出部１１は、後述する画像形成装置２０の接続待ち情報発信部２１から送信された接続待ち情報を受信したことを検出する。
【００４５】
接続許否判定部１２は、ＣＰＵ１０６などにより実現され、接続待ち情報検出部１１により接続待ち情報の受信が検出された場合、この接続待ち情報を送信した画像形成装置２０と接続するか否か（すなわち、ＢＬＥによる通信を行うか否か）を判定する。
【００４６】
認証要求部１３は、ＣＰＵ１０６、ＢＬＥチップ１０９などにより実現され、接続許否判定部１２により接続すると判定された画像形成装置２０に対して認証情報を送信して、認証要求を行う。認証情報とは、少なくともＰＩＮ情報を含み、認証処理に用いられる情報である。認証情報は、例えば、携帯端末１０のログインユーザを一意に識別するユーザＩＤと、ＰＩＮ情報との組であってもよい。
【００４７】
通信情報取得部１４は、ＣＰＵ１０６、ＢＬＥチップ１０９などにより実現され、認証要求部１３による認証要求に対する認証結果が認証成功を示す情報である場合、認証された画像形成装置２０から通信情報を取得する。なお、通信情報の詳細については後述する。
【００４８】
ＵＩ表示部１５は、ＣＰＵ１０６、表示装置１０２などにより実現され、ＵＩ（ユーザインタフェース）画面の生成及び表示を行う。
【００４９】
アドレス帳情報取得部１６は、ＣＰＵ１０６、通信Ｉ／Ｆ１０７などにより実現され、通信情報取得部１４により取得された通信情報に基づき、画像形成装置２０からアドレス帳情報を取得する。なお、アドレス帳情報の詳細については後述する。
【００５０】
処理要求部１７は、ＣＰＵ１０６、通信Ｉ／Ｆ１０７などにより実現され、アドレス帳情報に基づきユーザから選択された電話番号に対してＦＡＸ送信を要求するＦＡＸ送信ジョブの実行要求を、画像形成装置２０に対して送信する。
【００５１】
ＰＩＮ情報記憶部１８は、ＲＯＭ１０５、ＳＳＤ１０８などにより実現され、ＰＩＮ情報を記憶する。ＰＩＮ情報は、画像形成装置２０とＢＬＥによる通信を開始するために用いられる認証情報の一つであり、例えば、特定の英数字などの文字列である。
【００５２】
≪画像形成装置≫
ＦＡＸ送信システム１の画像形成装置２０は、接続待ち情報発信部２１、認証部２２、ＦＡＸ機能部２３、認証情報記憶部２４、通信情報記憶部２５、アドレス帳情報記憶部２６などを有する。
【００５３】
接続待ち情報発信部２１は、ＣＰＵ２１１、ＢＬＥチップ２０６などにより実現され、接続待ち情報をブロードキャスト送信する。ここで、接続待ち情報とは、上述したようにアドバタイズパケットと呼ばれる所定のデータ形式である。
【００５４】
また、接続待ち情報には、接続待ち情報の送信元の画像形成装置２０を一意に識別する情報（例えば、装置ＩＤや製造固有番号など）や、この画像形成装置２０が提供するサービス等の情報が含まれる。ここで、提供するサービスとは、例えば、アドレス帳情報を提供するなどである。
【００５５】
認証部２２は、ＣＰＵ２１１などにより実現され、携帯端末１０から送信された認証要求に基づき、認証処理を行う。
【００５６】
ＦＡＸ機能部２３は、ＦＡＸ装置２０５などにより実現され、携帯端末１０の処理要求部１７から実行を要求されたＦＡＸ送信ジョブを実行して、ＦＡＸ送信を行う。なお、画像形成装置２０は、ＦＡＸ機能部２３に加えて、画像データ（電子データ）を紙媒体に印刷するプリント機能部、読み取った原稿から画像データ（電子データ）を生成するためのスキャン機能部、読み取った原稿を複製するコピー機能部などを有していてもよい。
【００５７】
認証情報記憶部２４は、ＨＤＤ２１５などにより実現され、認証情報を記憶する。認証情報とは、上述したように、少なくともＰＩＮ情報を含む情報である。また、認証情報として、ユーザＩＤとＰＩＮ情報との組を用いてもよい。
【００５８】
通信情報記憶部２５は、ＨＤＤ２１５などにより実現され、通信情報１０００を記憶する。ここで、通信情報１０００は、例えば図６に示されるようなデータ構成を有している。図６は、通信情報の一例を説明するための図である。
【００５９】
通信情報１０００は、画像形成装置２０の特定するための情報を示す「ＩＰアドレス」と、携帯端末１０が接続するネットワークＮ１を特定するための情報を示す「ＳＳＩＤ（Service Set Identifier）」と、ネットワークＮ１における無線ＬＡＮの暗号化方式の種別を示す「暗号化方式」、ネットワークＮ１において携帯端末１０を認証するための情報を示す「パスワード」とを有する情報である。携帯端末１０は、これらの各項目の項目値を通信設定として設定することで、ネットワークＮ１を介して画像形成装置２０と通信が可能となる。
【００６０】
なお、通信情報１０００は、例えば、通信を行う際に利用される画像形成装置２０のＨＴＴＰ（HyperText Transfer Protocol）ポート番号やＨＴＴＰＳ（HTTP over SSL/TLS）ポート番号などの情報を有していてもよい。
【００６１】
アドレス帳情報記憶部２６は、ＨＤＤ２１５などにより実現され、アドレス帳情報２０００を記憶する。ここで、アドレス帳情報とは、ＦＡＸ送信システム１により管理されるユーザに関する情報であり、例えば図７に示されるようなデータ構成を有している。図７は、アドレス帳情報の一例を説明するための図である。
【００６２】
アドレス帳情報２０００は、ＦＡＸ送信システム１により管理されるユーザの名称を示す「ユーザ名」と、ユーザの電話番号を示す「電話番号」と、ユーザの電子メールアドレスを示す「メールアドレス」とを有する。携帯端末１０のユーザは、画像形成装置２０からアドレス帳情報２０００を取得することで、例えば、ユーザＡの電話番号宛へのＦＡＸ送信を画像形成装置２０に要求することができる。また、同様に、携帯端末１０のユーザは、例えば、ユーザＢのメールアドレス宛への電子メール送信を画像形成装置２０に要求することができる。このとき、携帯端末１０のユーザは、画像形成装置２０においてスキャンされて生成された電子データをＦＡＸ送信又は電子メール送信してもよいし、携帯端末１０又は外部ストレージなどに格納されている電子データをＦＡＸ送信又は電子メール送信してもよい。すなわち、本実施形態においては、ＦＡＸ送信の代わりに電子メール送信を行う場合においても同様に適用される。さらに、アドレス帳情報２０００から選択された情報（例えば、住所等）に基づき、画像形成装置２０が所定の処理（例えば、住所等を印字（プリント）する）を行う場合においても同様に適用される。
【００６３】
また、本実施形態は、ＦＡＸ送信を含む画像形成処理を行うシステムに限られず、例えば、画像形成装置２０の代わりにプロジェクタ、電子黒板、デジタルサイネージなどの各種機器を用いたシステムにおいても適用され得る。
【００６４】
例えば、複数の電子黒板において画面を共有する場合、ユーザは、携帯端末１０を用いて、一の電子黒板と画面の共有が可能な他の電子黒板のアドレス帳情報を、当該一の電子黒板から取得する。そして、ユーザは、携帯端末１０から画面の共有元となる他の電子黒板（すなわち、画面共有においてホストとなる電子黒板）を選択する。これにより、ユーザは、当該一の電子黒板の前に到達した際に、共有元となる他の電子黒板を探索及び選択する操作が不要となる。したがって、この場合、当該一の電子黒板の前に到達した後のユーザの操作を削減することができる。
【００６５】
＜処理の詳細＞
次に、本実施形態に係るＦＡＸ送信システム１の処理の詳細について説明する。
【００６６】
≪通信情報取得処理≫
まず、携帯端末１０が画像形成装置２０から通信情報を取得するまでの処理について説明する。すなわち、上記の処理の概略で示したステップＳ１〜ステップＳ３までの処理である。図８は、第一の実施形態に係るＦＡＸ送信システムの通信情報取得処理の一例のシーケンス図である。
【００６７】
画像形成装置２０の接続待ち情報発信部２１は、所定の範囲内（すなわち、ＢＬＥによる通信が可能な通信圏内）に接続待ち情報を送信（同報送信；ブロードキャスト）している（ステップＳ８０１）。
【００６８】
ここで、接続待ち情報には、接続待ち情報の送信元の画像形成装置２０を一意に識別する情報（例えば、装置ＩＤや製造固有番号など）や、この画像形成装置２０が提供するサービス等の情報が含まれる。ここで、提供するサービスとは、例えば、アドレス帳情報を提供するなどである。
【００６９】
携帯端末１０の接続待ち情報検出部１１は、接続待ち情報の受信を検出すると、接続待ち情報を受信したことを検出する（ステップＳ８０２）。画像形成装置２０は周囲の所定の範囲内に接続待ち情報を送信しているため、携帯端末１０は、この所定の範囲内に携帯端末１０が入ることで接続待ち情報を受信する。このとき、携帯端末１０の接続待ち情報検出部１１は、接続待ち情報の受信を検出する。
【００７０】
携帯端末１０の接続待ち情報検出部１１は、接続待ち情報を受信したことを検出すると、接続待ち情報を送信した画像形成装置２０とＢＬＥによる通信を行うか否かの判定要求を接続許否判定部１２に対して行う（ステップＳ８０３）。
【００７１】
なお、異なる画像形成装置２０からそれぞれ接続待ち情報が送信され、携帯端末１０がそれぞれ受信した場合においては、いずれかの画像形成装置２０とＢＬＥによる通信を行うか否かの判定要求を接続許否判定部１２に対して行う。これは、例えば画像形成装置２０−１から送信された接続待ち情報Ａと、画像形成装置２０−２から送信された接続待ち情報Ｂとを携帯端末１０が受信したような場合である。
【００７２】
携帯端末１０の接続許否判定部１２は、接続待ち情報を送信した画像形成装置２０とＢＬＥによる通信を行うか否かの判定を行う（ステップＳ８０４）。そして、接続許否判定部１２は、判定結果に応じて認証要求部１３に対して認証要求を行う（ステップＳ８０５）。すなわち、接続許否判定部１２は、接続待ち情報の送信元の画像形成装置２０とＢＬＥによる通信を行うと判定した場合、認証要求部１３に対して認証要求を行う。
【００７３】
以降では、接続許否判定部１２により、接続待ち情報を送信したいずれかの画像形成装置２０とＢＬＥによる通信を行うことを示す判定結果が得られたものとして説明する。なお、接続許否判定部１２により、接続待ち情報を送信したいずれの画像形成装置２０ともＢＬＥによる通信を行わないことを示す判定結果が得られた場合、例えば、携帯端末１０の表示装置１０２にＢＬＥ通信を行うことができないことを示す画面を表示させる。
【００７４】
ここで、接続許否判定部１２は、ステップＳ８０４において、例えば、以下の（１）〜（３）に示すような方法により判定を行えばよい。
【００７５】
（１）携帯端末１０に予め設定された画像形成装置２０とのＢＬＥによる通信を行うと判定する。
【００７６】
（２）携帯端末１０のＵＩ表示部１５は、接続待ち情報の受信を検出すると、例えば図９に示すような接続開始確認画面３０００を表示させる。そして、ユーザにより接続許可ボタン３００１が選択された場合、この接続待ち情報を送信した画像形成装置２０とのＢＬＥによる通信を行うと判定する。一方、接続拒否ボタン３００２が選択された場合、この接続待ち情報を送信した画像形成装置２０とのＢＬＥによる通信を行わないと判定する。
【００７７】
（３）携帯端末１０が複数の接続待ち情報の受信を検出した場合、携帯端末１０から最も距離が近い画像形成装置２０とＢＬＥによる通信を行うと判定する。
【００７８】
携帯端末１０の認証要求部１３は、接続許否判定部１２から認証要求を受け付けると、ＰＩＮ情報記憶部１８からＰＩＮ情報を取得する（ステップＳ８０６）。そして、携帯端末１０の認証要求部１３は、接続許否判定部１２によりＢＬＥによる通信を行うと判定された画像形成装置２０に対して、ＰＩＮ情報を含む認証情報を送信し、認証要求を行う（ステップＳ８０７）。
【００７９】
なお、上記のステップＳ８０６において、認証要求部１３は、ＰＩＮ情報をＰＩＮ情報記憶部１８から取得せずに、ユーザから入力されたＰＩＮ情報を取得してもよい。例えば、ＵＩ表示部１５は、図１０に示すようなＰＩＮ情報入力画面４０００を表示させる。そして、認証要求部１３は、ＰＩＮ情報入力画面４０００においてユーザから入力されたＰＩＮ情報を取得し、この取得したＰＩＮ情報を含む認証情報を該当の画像形成装置２０に対して送信して認証要求を行ってもよい。これによれば、ＰＩＮ情報を携帯端末１０に記憶させないため、セキュリティを向上させることができる。
【００８０】
画像形成装置２０の認証部２２は、携帯端末１０から認証要求を受け付けると、認証処理を行う（ステップＳ８０８）。すなわち、認証部２２は、認証情報記憶部２４を参照し、携帯端末１０から受け取った認証情報と同一の認証情報が認証情報記憶部２４に含まれるか否かを判定する。
【００８１】
例えば、認証部２２は、携帯端末１０から受け取った認証情報に含まれるＰＩＮ情報と同一のＰＩＮ情報が認証情報記憶部２４に含まれるか否かを判定する。そして、画像形成装置２０の認証部２２は、携帯端末１０から受け取った認証情報と同一の認証情報が認証情報記憶部２４に含まれる場合、認証成功を示す認証結果を携帯端末１０の認証要求部１３に送信する。一方、認証情報と同一の認証情報が認証情報記憶部２４に含まれない場合、認証失敗を示す認証結果を携帯端末１０の認証要求部１３に送信する。
【００８２】
以降では、画像形成装置２０の認証部２２は、認証成功を示す認証結果を携帯端末１０の認証要求部１３に送信したものとして説明する。なお、画像形成装置２０の認証部２２が認証失敗を示す認証結果を携帯端末１０の認証要求部１３に送信した場合、例えば、携帯端末１０の表示装置１０２に認証が失敗したことを示す画面を表示させる。
【００８３】
携帯端末１０の認証要求部１３は、画像形成装置２０の認証部２２から認証結果を受信すると、通信情報の取得要求を通信情報取得部１４に対して行う（ステップＳ８０９）。
【００８４】
携帯端末１０の通信情報取得部１４は、認証要求部１３から通信情報の取得要求を受け付けると、ＢＬＥによる通信を介して、該当の画像形成装置２０に対して通信情報の取得要求を行う（ステップＳ８１０）。そして、画像形成装置２０は、通信情報記憶部２５に記憶されている通信情報１０００を、携帯端末１０に送信する。
【００８５】
以上により、本実施形態に係る携帯端末１０は、ＢＬＥによる通信を介して画像形成装置２０から通信情報を取得することができる。このような通信情報の取得処理は、ユーザが携帯端末１０を所持した状態でＢＬＥによる通信が可能な通信圏内に入った時から開始される。
【００８６】
≪アドレス帳情報取得からＦＡＸ送信までの処理≫
続いて、携帯端末１０がアドレス帳情報を取得して、画像形成装置２０でＦＡＸ送信を行うまでの処理について説明する。すなわち、上記の処理の概略で示したステップＳ４〜ステップＳ６までの処理である。図１１は、第一の実施形態に係るＦＡＸ送信システムのアドレス帳情報取得からＦＡＸ送信処理までの一例のシーケンス図である。
【００８７】
携帯端末１０のアドレス帳情報取得部１６は、通信情報取得部１４により画像形成装置２０の通信情報１０００が取得されると、取得された通信情報１０００に基づきネットワークＮ１に無線ＬＡＮで接続する。そして、アドレス帳情報取得部１６は、通信情報１０００に含まれるＩＰアドレスが示す画像形成装置２０のアドレス帳情報記憶部２６に記憶されているアドレス帳情報２０００を取得する（ステップＳ１１０１）。
【００８８】
なお、ステップＳ１１０１において、携帯端末１０のＵＩ表示部１５に、必要なアドレス帳情報２０００のみを取得するための画面を表示させ、この画面での入力又は選択内容に応じたアドレス帳情報２０００を取得してもよい。例えば、ユーザによる入力又は選択により、アドレス帳情報２０００のうち先頭文字が「あ」行のユーザ名のレコードのみを取得する等である。これにより、アドレス帳情報２０００の取得に要するデータ通信量を削減することができる。
【００８９】
以上のように、携帯端末１０は、画像形成装置２０からアドレス帳情報２０００を取得する。これにより、携帯端末１０のユーザは、取得されたアドレス帳情報２０００を用いて、画像形成装置２０にＦＡＸ送信ジョブを送信することができる。
【００９０】
ここで、ＢＬＥによる通信が可能な通信圏内に入った時からアドレス帳情報２０００が取得されるまでの間、携帯端末１０を所持するユーザは、該当の画像形成装置２０の前まで移動しているものとする。そして、携帯端末１０を所持するユーザが該当の画像形成装置２０の前に到達したときには、アドレス帳情報２０００の取得が完了しており、即座にＦＡＸ送信操作を行うことができる。
【００９１】
ただし、アドレス帳情報２０００のデータ容量及びネットワークＮ１などのデータ転送速度等によっては、ユーザが該当の画像形成装置２０の前に到達したときに、未だアドレス帳情報２０００が取得中である場合もあり得る。しかし、この場合であっても、ＦＡＸ送信操作を行うまでのユーザの待ち時間は軽減される。
【００９２】
続いて、携帯端末１０のユーザは、ＵＩ表示部１５により表示された所定の画面からＦＡＸ送信操作を行う（ステップＳ１１０２）。すなわち、ＵＩ表示部１５は、例えば、取得されたアドレス帳情報２０００に基づき、ユーザ名と電話番号との一覧を表示した画面を生成し、これを表示する。そして、ユーザは、この一覧から所望のユーザ名の電話番号を選択し、ＦＡＸ送信操作を行う。これにより、携帯端末１０において、ＦＡＸ送信ジョブが生成される。なお、このとき、ＦＡＸ送信される電子データを携帯端末１０や外部ストレージなどから選択することができてもよい。
【００９３】
ユーザによりＦＡＸ送信操作が行われると、携帯端末１０のＵＩ表示部１５は、ＦＡＸ送信ジョブの送信要求を処理要求部１７に対して行う（ステップＳ１１０３）。
【００９４】
そして、携帯端末１０の処理要求部１７は、ＵＩ表示部１５からＦＡＸ送信ジョブの送信要求を受け付けると、ネットワークＮ１を介して、ＦＡＸ送信ジョブを該当の画像形成装置２０に対して送信する（ステップＳ１１０４）。
【００９５】
画像形成装置２０は、携帯端末１０の処理要求部１７からＦＡＸ送信ジョブを受け取ると、このＦＡＸ送信ジョブに含まれる電話番号宛にＦＡＸ送信が可能な状態に移行する。そして、ユーザが、この画像形成装置２０の操作パネル２０２を操作して、ＦＡＸ送信する原稿を読み取り、電子データを生成することで、ＦＡＸ機能部２３は、この電子データを、ＦＡＸ送信ジョブに含まれる電話番号宛にＦＡＸ送信する（ステップＳ１１０５）。
【００９６】
なお、ステップＳ１１０４において、例えば、携帯端末１０がＮＦＣを備える場合には、ユーザにより携帯端末１０が画像形成装置２０に近付けられて、ＮＦＣによる通信が開始されたことを契機としてＦＡＸ送信ジョブが当該画像形成装置２０に送信されてもよい。これにより、ユーザは、所望の画像形成装置２０に十分近付いた上でＦＡＸ送信を行うことができる。
【００９７】
また、例えば、携帯端末１０が画像形成装置２０から受信したＢｌｕｔｏｏｔｈ等の電波強度に基づいてユーザが当該画像形成装置２０に近付いたか否かを判断し、ユーザが当該画像形成装置２０に近付いたと判断された場合に、ＦＡＸ送信ジョブを送信してもよい。これにより、上記と同様に、ユーザは、所望の画像形成装置２０に十分近付いた上でＦＡＸ送信を行うことができる。
【００９８】
以上により、ＦＡＸ送信システム１のユーザは、携帯端末１０から選択したアドレス宛にＦＡＸ送信を行うことができる。
【００９９】
［第二の実施形態］
次に、第二の実施形態に係るＦＡＸ送信システム１について説明する。第二の実施形態の説明では、第一の実施形態との相違点について説明し、第一の実施形態と同様の機能構成を有する箇所には第一の実施形態の説明で用いた符号と同様の符号を付与し、その説明を省略する。
【０１００】
第二の実施形態では、画像形成装置２０から取得したアドレス帳情報を、この画像形成装置２０と対応付けて、携帯端末１０のＳＳＤ１０８などの不揮発性の記憶領域に保存する。また、ユーザが画像形成装置２０の使用を終了して、この画像形成装置２０から離れると、携帯端末１０に保存されたアドレス帳情報を削除する。
【０１０１】
これにより、ユーザが画像形成装置２０の使用を終了した場合には、携帯端末１０に保存されたアドレス帳情報を明示的に削除することができる。したがって、本実施形態の携帯端末１０では、画像形成装置２０の使用終了後に、不要なアドレス帳情報が携帯端末１０に保存され続ける事態を防止することができる。
【０１０２】
＜機能構成＞
第二の実施形態に係るＦＡＸ送信システム１は、例えば図１２に示すような機能ブロックにより表すことができる。図１２は、第二の実施形態に係るＦＡＸ送信システムの一例の機能ブロック図である。
【０１０３】
第二の実施形態に係る携帯端末１０Ａは、接続待ち情報検出部１１Ａ、アドレス帳情報取得部１６Ａ、アドレス帳情報記憶部３１、削除部３２を有する。
【０１０４】
接続待ち情報検出部１１Ａは、接続待ち情報の受信が検出されたことを削除部３２に通知する。
【０１０５】
アドレス帳情報取得部１６Ａは、取得されたアドレス帳情報を、画像形成装置２０を識別する情報（以降では、画像形成装置２０を識別する情報は「装置ＩＤ」とする。）と対応付けて、アドレス帳情報記憶部３１に保存する。
【０１０６】
アドレス帳情報記憶部３１は、ＳＳＤ１０８などにより実現され、アドレス帳情報２０００と装置ＩＤとを対応付けたアドレス帳情報５０００を記憶する。アドレス帳情報５０００の詳細については後述する。
【０１０７】
削除部３２は、ＣＰＵ１０６などにより実現され、ユーザが画像形成装置２０から離れた場合、アドレス帳情報記憶部３１に記憶されたアドレス帳情報５０００を削除する。すなわち、削除部３２は、ユーザが画像形成装置２０の使用を終えて、この画像形成装置２０から離れた場合に、アドレス帳情報５０００を削除する。これにより、本実施形態の携帯端末１０Ａでは、アドレス帳情報５０００が明示的に削除され、不要なアドレス帳情報が保存され続ける事態を防止することができる。
【０１０８】
＜処理の詳細＞
次に、第二の実施形態に係るＦＡＸ送信システム１の処理の詳細について説明する。なお、第二の実施形態において、通信情報取得処理は第一の実施形態と同様であるため、その説明を省略する。
【０１０９】
≪アドレス帳情報取得からＦＡＸ送信までの処理≫
まず、第二の実施形態に係るアドレス帳情報取得からＦＡＸ送信までの処理について説明する。図１３は、第二の実施形態に係るＦＡＸ送信システムのアドレス帳情報取得からＦＡＸ送信処理までの一例のシーケンス図である。
【０１１０】
アドレス情報取得部１６Ａは、画像形成装置２０からアドレス帳情報２０００を取得すると、この画像形成装置２０の装置ＩＤとアドレス帳情報２０００とを対応付けたアドレス帳情報５０００を、アドレス帳情報記憶部３１に保存する（ステップＳ１３０１）。
【０１１１】
ここで、アドレス帳情報５０００について、図１４を用いて説明する。図１４は、携帯端末に保存されるアドレス帳情報の一例を説明するための図である。
【０１１２】
図１４に示すように、アドレス帳情報記憶部３１に保存されるアドレス帳情報５０００は、画像形成装置２０の装置ＩＤとアドレス帳情報２０００とが対応付けられた情報である。
【０１１３】
なお、アドレス帳情報５０００の装置ＩＤは、例えば、図８のステップＳ８０１において画像形成装置２０から受信した接続待ち情報に含まれる装置ＩＤとすればよい。ただし、これに限られず、例えば、図１３のステップＳ１１０１において、アドレス帳情報２０００とともに装置ＩＤを取得して、この装置ＩＤをアドレス帳情報２０００と対応付けてもよい。
【０１１４】
また、図１４では、一のアドレス帳情報５０００を示しているが、アドレス帳情報記憶部３１には複数のアドレス帳情報が保存されていてもよい。例えば、装置ＩＤ「Ｄ００１」と対応付けられたアドレス帳情報と、装置ＩＤ「Ｄ００２」と対応付けられたアドレス帳情報とが含まれてもよい。
【０１１５】
以上のように、本実施形態の携帯端末１０Ａでは、アドレス帳情報２０００を装置ＩＤと対応付けたアドレス帳情報５０００が、携帯端末１０Ａの記憶領域に保存される。
【０１１６】
≪アドレス帳情報の削除処理≫
次に、ユーザが画像形成装置２０の使用を終了した場合に、本実施形態の携帯端末１０Ａに保存されたアドレス帳情報５０００を削除する処理について説明する。図１５は、第二の実施形態に係るアドレス帳情報の削除処理の一例のフローチャートである。
【０１１７】
携帯端末１０Ａの削除部３２は、所定の時間の間、画像形成装置２０から接続待ち情報を受信していないか否かを判定する（ステップＳ１５０１）。すなわち、削除部３２は、所定の時間の間、接続待ち情報検出部１１Ａにより接続待ち情報の受信が検出されたことを示す通知を受け付けていないか否かを判定する。
【０１１８】
ここで、上述したように、画像形成装置２０は、周囲の所定の範囲内に接続待ち情報を送信している。このため、ユーザが画像形成装置２０を使用している間、携帯端末１０Ａの接続待ち情報検出部１１Ａは、接続待ち情報を受信する度に、接続待ち情報の受信が検出されたことを削除部３２に通知する。一方、ユーザが画像形成装置２０の使用を終了して、所定の範囲外に移動した場合、携帯端末１０Ａは、接続待ち情報を受信しない。
【０１１９】
したがって、削除部３２により所定の時間の間、画像形成装置２０から接続待ち情報を受信していないとは、ユーザが、画像形成装置２０の使用を終えて、この画像形成装置２０から離れた（所定の範囲外に移動した）ことを意味する。
【０１２０】
ステップＳ１５０１において、所定の時間の間、画像形成装置２０から接続待ち情報を所定の時間の間、受信していないと判定された場合、削除部３２は、アドレス帳情報記憶部３１からアドレス帳情報５０００を削除する（ステップＳ１５０２）。
【０１２１】
ここで、上述したように、接続待ち情報には、装置ＩＤが含まれる。したがって、削除部３２は、所定の時間の間、受信していない接続待ち情報に含まれる装置ＩＤのアドレス帳情報５０００を削除すればよい。例えば、アドレス帳情報記憶部３１に装置ＩＤ「Ｄ００１」のアドレス帳情報と、装置ＩＤ「Ｄ００２」のアドレス帳情報とが含まれる場合であって、装置ＩＤ「Ｄ００１」が含まれる接続待ち情報を所定の時間の間、受信していない場合、装置ＩＤ「Ｄ００１」のアドレス帳情報を削除すればよい。
【０１２２】
また、ステップＳ１５０２において、削除部３２は、アドレス帳情報５０００に含まれるレコードのうち、ユーザにより選択されたレコードのみを削除してもよい。
【０１２３】
すなわち、例えば、携帯端末１０Ａは、ステップＳ１３０１でアドレス帳情報５０００を保存すると、ＵＩ表示部１５により、例えば図１６に示すような削除対象アドレスの選択画面６０００を表示させる。そして、削除部３２は、削除対象アドレスの選択画面６０００において、チェックボックス６１００で削除対象として選択されたアドレスに対応するレコードを削除するようにしてもよい。これにより、ユーザは、携帯端末１０Ａに保存させたくないアドレスのみを削除することができる。
【０１２４】
なお、図１６に示す削除対象アドレスの選択画面６０００では、削除したいアドレスをチェックボックス６１００で選択するものとしたが、これに限られない。例えば、削除対象アドレスの選択画面６０００が最初に表示されたときに、すべてのアドレスのチェックボックス６１００にチェックがされていてもよい。この場合、ユーザは、携帯端末１０に保存しておきたいアドレスのチェックを、チェックボックス６１００から外す選択をすればよい。これにより、ユーザは、例えば繰り返し使用する可能性があるアドレスなど、必要なアドレスのみを携帯端末１０Ａに保存させておくことができる。
【０１２５】
また、削除部３２は、例えば、アドレス帳情報５０００に含まれるレコードのうち、図１１のステップＳ１１０２のＦＡＸ送信操作で選択されたアドレス（すなわち、使用されたアドレス）に対応するレコードを保存するようにしてもよい。
【０１２６】
本実施形態では、上記のステップＳ１５０２において、携帯端末１０のユーザがアドレス帳情報の削除対象のレコードを選択することができる構成を示したが、当該レコードの選択は、例えばＦＡＸ送信システム１の管理者等により行われてもよい。すなわち、例えば上記の図１６に示す削除対象アドレスの選択画面６０００を画像形成装置２０の操作パネル２０２上に表示させて、管理者等が、携帯端末１０に保存させたくないアドレス帳情報のレコードを選択することができるようにしてもよい。これにより、ＦＡＸ送信システム１の管理者等は、セキュリティ上の観点からユーザの携帯端末１０に保存させたくないアドレス帳情報のレコードを削除させることができる。
【０１２７】
なお、この場合、例えば、ステップＳ１１０１において、画像形成装置２０は、アドレス帳情報２０００に加えて、当該アドレス帳情報２０００における削除対象のレコードを示す情報を携帯端末１０に送信すればよい。
【０１２８】
［第三の実施形態］
次に、第三の実施形態に係るＦＡＸ送信システム１について説明する。第三の実施形態の説明では、第二の実施形態との相違点について説明し、第二の実施形態と同様の機能構成を有する箇所には第二の実施形態の説明で用いた符号と同様の符号を付与し、その説明を省略する。
【０１２９】
第三の実施形態では、携帯端末１０と画像形成装置２０との距離に基づいて、通信情報の取得やアドレス帳情報５０００の削除を行う。すなわち、携帯端末１０と画像形成装置２０との距離が所定の第１の閾値以下である場合に、携帯端末１０は、画像形成装置２０から通信情報を取得する。また、携帯端末１０と画像形成装置２０との距離が所定の第２の閾値以上である場合に、携帯端末１０は、記憶領域からアドレス帳情報を削除する。
【０１３０】
＜機能構成＞
第三の実施形態に係るＦＡＸ送信システム１は、例えば図１７に示すような機能ブロックにより表すことができる。図１７は、第三の実施形態に係るＦＡＸ送信システムの一例の機能ブロック図である。
【０１３１】
第三の実施形態に係る携帯端末１０Ｂは、接続待ち情報検出部１１Ｂ、接続許否判定部１２Ａ、削除部３２Ａ、距離推定部３３を有する。
【０１３２】
接続待ち情報検出部１１Ｂは、接続待ち情報の受信が検出された場合、受信した接続待ち情報に基づく距離の推定要求を距離推定部３３に対して行う。
【０１３３】
接続許否判定部１２Ａは、距離推定部３３により推定された距離に基づいて、接続待ち情報を送信した画像形成装置２０と接続するか否かを判定する。すなわち、接続許否判定部１２Ａは、距離推定部３３により推定された距離が、予め設定された第１の閾値以下である場合に、接続待ち情報の送信元の画像形成装置２０とＢＬＥによる通信を行うと判定する。
【０１３４】
削除部３２Ａは、距離推定部３３により推定された距離に基づいて、アドレス帳情報記憶部３１に記憶されたアドレス帳情報５０００を削除する。すなわち、削除部３２Ａは、距離推定部３３により推定された距離が、予め設定された第２の閾値以上である場合に、アドレス帳情報記憶部３１に記憶されたアドレス帳情報５０００を削除する。
【０１３５】
距離推定部３３は、画像形成装置２０から受信した接続待ち情報に基づいて、携帯端末１０Ｂから画像形成装置２０までの距離を推定する。
【０１３６】
ここで、距離の推定は、例えば、携帯端末１０Ｂが接続待ち情報を受信した受信強度（RSSI: Received Signal Strength Indication）と、接続待ち情報に含まれる画像形成装置２０の電波出力強度（Tx Power Level）とに基づいて推定することができる。例えば、距離推定部３３は、電波出力強度の値から受信強度の値を減算して、所定の定数を乗算することで、距離を推定（算出）することができる。
【０１３７】
＜処理の詳細＞
次に、第三の実施形態に係るＦＡＸ送信システム１の処理の詳細について説明する。なお、第三の実施形態において、アドレス帳情報取得からＦＡＸ送信処理までの処理は、第二の実施形態と同様であるため、その説明を省略する。
【０１３８】
≪通信情報取得処理≫
まず、第三の実施形態に係る携帯端末１０Ｂが画像形成装置２０から通信情報を取得するまでの処理について説明する。図１８は、第三の実施形態に係るＦＡＸ送信システムの通信情報取得処理の一例のシーケンス図である。
【０１３９】
携帯端末１０Ｂの接続待ち情報検出部１１Ｂは、接続待ち情報の受信を検出すると、受信した接続待ち情報に基づく距離の推定要求を距離推定部３３に対して行う（ステップＳ１８０１）。
【０１４０】
携帯端末１０Ｂの距離推定部３３は、接続待ち情報検出部１１Ｂから距離の推定要求を受け付けると、受信した接続待ち情報に基づいて、携帯端末１０Ｂと、接続待ち情報の送信元の画像形成装置２０との距離を推定する（ステップＳ１８０２）。そして、距離推定部３３は、推定した距離を示す情報を接続待ち情報検出部１１Ｂに送信する。
【０１４１】
接続待ち検出部１１Ｂは、距離推定部３３により推定された距離を示す情報を受け付けると、接続許否の判定要求を接続許否判定部１２Ａに対して行う（ステップＳ１８０３）。なお、接続許否の判定要求には、距離推定部３３により推定された距離を示す情報が含まれる。
【０１４２】
接続許否判定部１２Ａは、距離推定部３３により推定された距離が、第１の閾値以下であるか否かを判定する（ステップＳ１８０４）。そして、接続許否判定部１２Ａは、判定結果に応じて認証要求部１３に対して認証要求を行う（ステップＳ１８０５）。すなわち、接続許否判定部１２Ａは、距離推定部３３により推定された距離が、第１の閾値以下である場合、認証要求部１３に対して認証要求を行う。
【０１４３】
これにより、本実施形態に係る携帯端末１０Ｂは、第１の閾値が適切に設定されることにより、例えば、同一のフロア内に複数の画像形成装置２０が設置されている場合においても、適切な画像形成装置２０から通信情報１０００を取得することができる。
【０１４４】
より具体的には、例えば、携帯端末１０Ｂと画像形成装置２０−１との距離が第１の閾値以下である一方で、携帯端末１０Ｂと画像形成装置２０−２との距離が第１の閾値を超えている場合、携帯端末１０Ｂは、画像形成装置２０−１から通信情報１０００を取得する。このため、フロア内に設置された各画像形成装置２０間の距離に応じて、第１の閾値が適切に設定されていれば、携帯端末１０Ｂは、ユーザが使用を所望する画像形成装置２０からアドレス帳情報２０００を取得することができるようになる。
【０１４５】
以上のように、本実施形態に係る携帯端末１０Ｂは、画像形成装置２０との距離が第１の閾値以下となった場合に、この画像形成装置２０からアドレス帳情報２０００を取得するための通信情報１０００を取得する。
【０１４６】
≪アドレス帳情報の削除処理≫
次に、ユーザが画像形成装置２０の使用を終了した場合に、本実施形態の携帯端末１０Ｂに保存されたアドレス帳情報５０００を削除する処理について説明する。図１９は、第三の実施形態に係るアドレス帳情報の削除処理の一例のフローチャートである。
【０１４７】
携帯端末１０Ｂの接続待ち情報検出部１１Ｂは、接続待ち情報の受信を検出する（ステップＳ１９０１）。
【０１４８】
ここで、上述したように、画像形成装置２０は、周囲の所定の範囲内に接続待ち情報を送信している。このため、ユーザが画像形成装置２０の周囲の所定の範囲内にいる間、携帯端末１０Ｂの接続待ち情報検出部１１Ｂは、接続待ち情報を受信する度に、接続待ち情報の受信を検出する。
【０１４９】
携帯端末１０Ｂの距離推定部３３は、接続待ち情報検出部１１Ｂにより接続待ち情報の受信が検出されると、受信した接続待ち情報に基づいて、接続待ち情報の送信元の画像形成装置２０までの距離を推定する（ステップＳ１９０２）。
【０１５０】
携帯端末１０Ｂの削除部３２Ａは、距離推定部３３により接続待ち情報の送信元の画像形成装置２０までの距離が推定されると、推定された距離が第２の閾値以上であるか否かを判定する（ステップＳ１９０３）。
【０１５１】
ステップＳ１９０３において、削除部３２Ａにより距離が第２の閾値以上であると判定された場合、携帯端末１０Ｂは、ステップＳ１５０２の処理を行う。すなわち、削除部３２Ａは、アドレス帳情報記憶部３１に記憶されたアドレス帳情報を削除する。
【０１５２】
一方、ステップＳ１９０３において、削除部３２Ａにより距離が第２の閾値以上でないと判定された場合、携帯端末１０Ｂは、ステップＳ１９０１の処理に戻る。
【０１５３】
これにより、本実施形態に係る携帯端末１０Ｂでは、接続待ち情報の送信元の画像形成装置２０までに距離に基づいて、アドレス帳情報５０００を削除することができる。すなわち、本実施形態に係る携帯端末１０Ｂは、ユーザが画像形成装置２０から所定の距離以上離れた場合、このユーザの画像形成装置２０の使用は終了したものとして、アドレス帳情報５０００を削除することができる。
【０１５４】
なお、本実施形態において、第１の閾値及び第２の閾値は、例えば、ＦＡＸ送信システム１の管理者等が画像形成装置２０に設定した値を用いてもよい。この場合、画像形成装置２０は、管理者等により設定された第１の閾値及び第２の閾値を、接続待ち情報等に含めて携帯端末１０に送信すればよい。これにより、管理者等は、例えば、周囲に他の画像形成装置２０がある画像形成装置２０では第１の閾値及び第２の閾値を低く設定する一方で、周囲に他の画像形成装置２０がない画像形成装置２０では第１の閾値及び第２の閾値を高く設定する等、柔軟に閾値を設定することができる。
【０１５５】
＜まとめ＞
以上により、第一の実施形態に係る携帯端末１０は、第１の通信手段による通信が可能な通信圏内に位置すると、第１の通信手段により画像形成装置２０から当該画像形成装置２０と第２の通信手段による通信を行うための通信情報を取得することができる。
【０１５６】
そして、第一の実施形態に係る携帯端末１０は、第１の通信手段により取得した通信情報に基づき、第２の通信手段により該当の画像形成装置２０からアドレス帳情報等の所定の情報を取得することができる。
【０１５７】
したがって、第一の実施形態に係る携帯端末１０は、画像形成装置２０との第１の通信手段による通信が可能な通信圏内に位置していれば、当該画像形成装置２０と離れた場所に位置していてもアドレス帳情報等の取得を開始することができる。これにより、携帯端末１０を所持するユーザが、ＦＡＸ送信などの画像形成処理を行うために画像形成装置２０の前に移動したときには、アドレス帳情報の取得が完了しているため、待ち時間なく画像形成処理を行うための操作を開始することができる。また、仮に、ユーザが画像形成装置２０の前に移動したときには、未だアドレス帳情報の取得が完了していない場合でも、画像形成処理を行うための操作を開始するまでの待ち時間を短縮することができる。
【０１５８】
また、第二の実施形態に係る携帯端末１０Ａは、アドレス帳情報の取得後、画像形成装置２０と第１の通信手段による通信ができない位置に移動した場合、取得したアドレス帳情報を削除する。これにより、第二の実施形態に係る携帯端末１０Ａでは、不要なアドレス帳情報を削除することができる。
【０１５９】
さらに、第三の実施形態に係る携帯端末１０Ｂは、画像形成装置２０との距離に基づいて、アドレス帳情報の取得やアドレス帳情報の削除を行う。これにより、第三の実施形態に係る携帯端末１０Ｂでは、例えば、フロア内に複数台の画像形成装置２０が設置されている場合においても、適切な画像形成装置２０からアドレス帳情報を取得することができる。また、第三の実施形態に係る携帯端末１０Ｂでは、画像形成装置２０と第１の通信手段による通信が可能は範囲内であっても、当該画像形成装置２０と所定の距離以上離れた場合には、アドレス帳情報を削除することができる。
【０１６０】
なお、接続待ち情報検出部１１は、検出手段の一例である。接続許否判定部１２は、判定手段の一例である。通信情報取得部１４は、第１の取得手段の一例である。アドレス帳情報取得部１６は、第２の取得手段の一例である。認証要求部１３は、認証情報送信手段の一例である。ＵＩ表示部１５は、選択画面表示手段の一例である。
【０１６１】
本発明は、具体的に開示された上記の実施形態に限定されるものではなく、特許請求の範囲から逸脱することなく、種々の変形や変更が可能である。
【符号の説明】
【０１６２】
１      ＦＡＸ送信システム
１０    携帯端末
１１    接続待ち情報検出部
１２    接続許否判定部
１３    認証要求部
１４    通信情報取得部
１５    ＵＩ表示部
１６    アドレス帳情報取得部
１７    処理要求部
１８    ＰＩＮ情報記憶部
２０    画像形成装置
２１    接続待ち情報発信部
２２    認証部
２３    ＦＡＸ機能部
２４    認証情報記憶部
２５    通信情報記憶部
２６    アドレス帳情報記憶部
Ｎ１    ネットワーク
【先行技術文献】
【特許文献】
【０１６３】
【特許文献１】特開２０１３−１８４２９６号公報
【図１】
2016066993.tif 000003
【図２】
2016066993.tif 000004
【図３】
2016066993.tif 000005
【図４】
2016066993.tif 000006
【図５】
2016066993.tif 000007
【図６】
2016066993.tif 000008
【図７】
2016066993.tif 000009
【図８】
2016066993.tif 000010
【図９】
2016066993.tif 000011
【図１０】
2016066993.tif 000012
【図１１】
2016066993.tif 000013
【図１２】
2016066993.tif 000014
【図１３】
2016066993.tif 000015
【図１４】
2016066993.tif 000016
【図１５】
2016066993.tif 000017
【図１６】
2016066993.tif 000018
【図１７】
2016066993.tif 000019
【図１８】
2016066993.tif 000020
【図１９】
2016066993.tif 000021